(57)【要約】【課題】  電子機器に組込んだときに、カバー部材の傷が問題とならない撮像モジュールを提供する。【解決手段】  撮像素子１２及びレンズ１４，１５，１６を備える撮像装置１０と、撮影用の開口３が形成されており、撮像装置１０のレンズ１４，１５，１６の前面を保護するカバー部材２とを含む撮像モジュール１であって、カバー部材２の開口３の周囲外表面にしぼ面４ａを設けた。本撮像モジュールは、カバー部材２の開口３の周囲外表面にしぼ面４ａが設けられているので、傷が発生しても目立たない。よって、この撮像モジュールは電子機器の不良品の発生を抑制できる。【選択図】    図２
2006157736.tif 000002
【特許請求の範囲】
【請求項１】
撮像素子及びレンズを備える撮像装置と、撮影用の開口が形成されており、前記撮像装置の前記レンズの前面を保護するカバー部材とを含む撮像モジュールであって、
前記カバー部材の前記開口の周囲外表面に凹凸面を設けたことを特徴とする撮像モジュール。
【請求項２】
撮像素子及びレンズを備える撮像装置と、撮影用の開口が形成されており、前記撮像装置の前記レンズの前面を保護するカバー部材とを含む撮像モジュールであって、
前記カバー部材の前記開口の周囲外表面に凹部を設けたことを特徴とする撮像モジュール。
【請求項３】
撮像素子及びレンズを備える撮像装置と、撮影用の開口が形成されており、前記撮像装置の前記レンズの前面を保護するカバー部材とを含む撮像モジュールであって、
前記カバー部材の前記開口の周囲外表面に凹部を設けるとともに、該凹部の表面を凹凸面としたことを特徴とする撮像モジュール。
【請求項４】
前記凹凸面は、前記撮像モジュールがセットされる電子機器に形成されている撮影用開口よりも外形が大きく形成されていることを特徴とする請求項１又は３に記載の撮像モジュール。
【請求項５】
前記凹部は、前記撮像モジュールがセットされる電子機器に形成されている撮影用開口よりも外形が大きく形成されていることを特徴とする請求項２又は３に記載の撮像モジュール。
【発明の詳細な説明】
【技術分野】
【０００１】
本発明はカメラ、携帯電話等の撮像機能を備えた電子機器に、部品として組込まれる撮像モジュールに関する。より詳細には、内部を保護するためのカバー部材を備えている撮像モジュールに関する。
【背景技術】
【０００２】
撮像モジュールはカメラ、携帯電話等の電子機器に組込まれて使用される。撮像モジュールは内部に撮像素子、レンズ等によって形成されている撮像装置を含んでいる。撮像装置は光学精密機器であり、外部との接触や衝撃で破損し易い。そこで、一般的に撮像モジュールは内部を保護するように形成されている。例えば、特許文献１で開示する撮像モジュールは、レンズを保持しているレンズホルダの前面側（被写体側）をカバー部材（蓋部）で保護している。特許文献１の撮像モジュールはカバー部材がレンズホルダの前面側のみを保護するように形成されているが、レンズホルダ全体を保護するようにカバー部材で保護する構造が採用される場合もある。
【０００３】
なお、撮像モジュールは電子機器に組込まれる電子部品であるので、例えばカメラメーカや携帯電話メーカに納入され、組立ラインでカメラや携帯電話内に組込まれて製品の一部となる。
【０００４】
【特許文献１】特開２００３−２６４７２２号公報
【発明の開示】
【発明が解決しようとする課題】
【０００５】
部品メーカで製造された撮像モジュールは、外部からの衝撃を受けて破損しないように梱包されて組立メーカへ搬送される。例えば搬送用トレーを複数の区画に区分し、各区分に１個の撮像モジュールを収納することで搬送中に互いに衝突して破損することが無いように配慮して梱包される。
【０００６】
ところが、撮像装置の保護のためカバー部材を下側にして搬送用トレーで搬送すると、搬送中に受ける振動でカバー部材表面が搬送用トレー面と擦れる場合がある。このように面同士が擦れることで、カバー部材表面に小さな傷が発生してしまう場合がある。また、組立メーカでの組立作業の際にもカバー部材の表面が傷付けられてしまう場合がある。
【０００７】
撮像モジュールは電子機器の筐体内に収納された状態となるので、表面にごく小さな傷が生じていても電気機器が組上がったときには通常は目立つことがない。しかし、撮像モジュールはレンズの光軸方向が電子機器に設けた撮影用開口の中心と一致するようにセットされる。レンズ前面側を保護するカバー部材にも撮影用の開口が形成され、電子機器側の撮影用開口とカバー部材側の撮影用開口とが対向するように配置される。よって、カバー部材の開口の外周部に発生した傷が電子機器の撮影用開口を介して目視で確認できる場合には電子機器が不良品となってしまう。
【０００８】
そこで、本発明の目的は、電子機器に組込んだときに、カバー部材の傷が問題とならない撮像モジュールを提供することである。
【課題を解決するための手段】
【０００９】
上記目的は、撮像素子及びレンズを備える撮像装置と、撮影用の開口が形成されており、前記撮像装置の前記レンズの前面を保護するカバー部材とを含む撮像モジュールであって、前記カバー部材の前記開口の周囲外表面に凹凸面を設けた撮像モジュールにより達成される。本発明によると、カバー部材の開口の周囲外表面に凹凸面が設けられているので、傷が発生しても目立たないようにすることができる。よって、この撮像モジュールは電子機器の不良品の発生を抑制できる。
【００１０】
また、上記目的は、撮像素子及びレンズを備える撮像装置と、撮影用の開口が形成されており、前記撮像装置の前記レンズの前面を保護するカバー部材とを含む撮像モジュールであって、前記カバー部材の前記開口の周囲外表面に凹部を設けた撮像モジュールによっても達成される。本発明によると、カバー部材の開口の周囲外表面に凹部が設けられているので、凹部により開口の周囲外表面の傷の発生を防止できる。よって、このような撮像モジュールを採用すれば、カバー部材の開口の周囲外表面に発生した傷を原因とする電子機器の不良品の発生を抑制できる。
【００１１】
また、上記目的は、撮像素子及びレンズを備える撮像装置と、撮影用の開口が形成されており、前記撮像装置の前記レンズの前面を保護するカバー部材とを含む撮像モジュールであって、前記カバー部材の前記開口の周囲外表面に凹部を設けるとともに、該凹部の表面を凹凸面とした撮像モジュールによっても達成できる。
【００１２】
また、前記凹凸面は、前記撮像モジュールがセットされる電子機器に形成されている撮影用開口よりも外形が大きく形成されていることが好ましい。また、前記凹部は、前記撮像モジュールがセットされる電子機器に形成されている撮影用開口よりも外形が大きく形成されていることが好ましい。
【発明の効果】
【００１３】
本発明によると、電子機器に組込んだときに、カバー部材の傷が問題とならない撮像モジュールを提供できる。
【発明を実施するための最良の形態】
【００１４】
以下、図面を参照して本発明に係る一実施形態を説明する。図１は、撮像モジュールの外観を示した斜視図である。図２は、図１におけるＡ−Ａ矢視断面図である。これらの図を参照して撮像モジュール１を説明する。なお、図２では撮像モジュール１がセットされる電子機器側の筐体５０の一部を図示している。筐体５０に形成されている撮影用開口５１に対向するようにして撮像モジュール１が配置される。
【００１５】
図２に示すように、撮像モジュール１は基板５上に配置された撮像装置１０と、この撮像装置１０の全体を覆うよう形成されているカバー部材２とを含んでいる。カバー部材２の大略形状は中空な立方体形状であり、背面側は開放状態となっている。基板５がカバー部材２の背面側の開放部を閉じるように配置され、撮像装置１０がカバー部材２内の空間に収納された状態となる。なお、本実施例では撮像装置１０の前面側（被写体側）にシャッタ装置２０を更に備えた構造例を示している。
【００１６】
撮像装置１０はホルダ１１を備え、このホルダ１１が基板５上に固定されている。ホルダ１１内には、基板５側からＣＣＤ、ＣＭＯＳ等によって形成される撮像素子１２、光学フィルタ１３、３種類のレンズ１４、１５、１６が順に配置されている。レンズ１４、１５、１６はレンズホルダ１７を介して、ホルダ１１内に保持されている。この撮像装置１０の前面側に配置されているシャッタ装置２０は、ホルダ１１の前端部に固定されている。シャッタ装置２０は２枚のシャッタ羽根２１、２２を備えている。
【００１７】
上記のように撮像モジュール１は撮像装置１０及びシャッタ装置２０を覆うカバー部材２を備えているので、外部との接触や耐衝撃性に優れた構造となっている。さらに、図示しない電子機器に組付けたときに、カバー部材２に発生した傷が問題とならないように撮像モジュール１が形成されている。以下、この点ついて説明する。
【００１８】
カバー部材２は前面に撮影用の開口３が形成されている。そして、図２で示すように、電子機器の筐体５０の撮影用開口５１は、カバー部材２の開口３と対向するように組付けが行われる。また、一般にカバー部材２の開口３よりも筐体５０の撮影用開口５１の方が大きく形成される場合が多い。そのため開口３の周囲外表面に傷が発生していると、撮影用開口５１を介して傷が見えることになり先に指摘したように電子機器が不良品となってしまう。
【００１９】
撮像モジュール１のカバー部材２は、このような事態を回避するために、開口３の周囲外表面に凹部４が形成されている。さらに凹部４の表面は凹凸面としてのしぼ面４ａとなっている。図３は、図２の円ＣＬ内を拡大して示している。なお、しぼ面４ａは表面に梨地仕上げ処理した場合のように微細な凹凸が施された面である。
【００２０】
上記のようにカバー部材２の開口３の周囲外表面に凹部４を設けると、この凹部４は搬送用トレーの面と接触せず、カバー部材２の他の部分が接触する。よって、搬送中の振動等でカバー部材２の開口３の周囲外表面に傷が発生することがない。そして、カバー部材２の他の部分に傷が発生しても電子機器の筐体５０の撮影用開口５１から見えない部分であり問題とはならない。さらに、電子機器の組立ラインにおいて撮像モジュール１の組付けを行うときにも、開口３の周囲外表面が凹部４となっていることで傷の発生を抑制できる。よって、開口３の周囲外表面に凹部４を設けるという簡単な改良で、カバー部材２の開口３の周囲外表面における傷の発生を防止できる。
【００２１】
さらに、上記凹部４の表面はしぼ面４ａとされている。しぼ面４ａは微細な凹凸に形成されているので、仮にこの部分に傷が発生しても平坦面と比較して傷が目立たない。以上のように、撮像モジュール１はカバー部材２の開口３の周囲外表面が凹部４となっているので傷の発生を防止でき、更に凹部４の表面がしぼ面４ａとなっているので例外的に傷が発生した場合でも目立たない。よって、撮像モジュール１はカバー部材２に発生した傷を原因として電子機器が不良品となることを抑制できる。
【００２２】
図１から図３で示した撮像モジュール１は、より好ましい構造例としてカバー部材２の開口３の周囲外表面に凹部４を設け、更にこの凹部４の表面にしぼ面４ａを設けた場合を示している。しかし、開口３の周囲外表面に凹部だけ、或いは、しぼ面だけを設けてもよい。いずれか一方とした場合でも、開口３の周囲外表面が平坦面となっているカバー部材の撮像モジュールを採用する場合と比較して、傷の発生を原因とする電子機器の不良品発生を抑制できる。
【００２３】
なお、ここで例示している撮像モジュール１は、カバー部材２の開口３の周囲外表面に環状の凹部４が設けられているが、凹部４の形状については特に限定はない。撮像モジュール１を組込んだ電子機器の筐体５０の撮影用開口５１を通して確認できるカバー部材２の表面部分に凹部が形成されていればよい。例えば、凹部４の外形４ＣＲを、図２及び図３で示すように撮影用開口５１より大きく形成しておくことが望ましい。しぼ面のみを形成する場合も同様であり、しぼ面の外形を撮影用開口５１より大きく形成しておくことが望ましい。
【００２４】
また、上記カバー部材２を金型で成型する場合には、金型に凹部やしぼ面用の微細な凹凸を設けておくことで簡単に作製できる。よって、従来の製造工程に変更を加えることなくカバー部材２を製造できる。また、しぼ面は平坦面に形成したカバー部材の表面に機械的又は化学的処理を施して微細な凹凸を設けてもよい。例えば、圧縮空気と共に砂またはガラス粒を噴射してしぼ面を形成することができる。
【００２５】
なお、本発明で意図するカバー部材は上記で例示したカバー部材２のように撮像装置１０及びシャッタ装置２０の全体を覆うような立体形状のものに限らない。本発明のカバー部材は、撮影用の開口を備え少なくともレンズ前面を保護する部材であればよい。また、カバー部材２の開口３の周囲外表面に凹凸面としてしぼ面を形成したが、これに限らず、例えば、径の異なるリング溝を同心的に多数形成して凹凸面とするようにしてもよい。
【００２６】
以上本発明の好ましい一実施形態について詳述したが、本発明は係る特定の実施形態に限定されるものではなく、特許請求の範囲に記載された本発明の要旨の範囲内において、種々の変形・変更が可能である。
【図面の簡単な説明】
【００２７】
【図１】実施形態に係る撮像モジュールの外観を示した斜視図である。
【図２】図１におけるＡ−Ａ線での断面図である。
【図３】図２の円ＣＬ内を拡大して示している図である。
【符号の説明】
【００２８】
１                    撮像モジュール
２                    カバー部材
３                    カバー部材の撮影用の開口
４                    凹部
４ａ                  しぼ面
１０                  撮像装置
１４，１５、１６      レンズ
２０                  シャッタ装置
５０                  電子機器の筐体
５１                  筐体の撮影用開口
【図１】
2006157736.tif 000003
【図２】
2006157736.tif 000004
【図３】
2006157736.tif 000005